(57)【要約】【課題】アンテナの性能の向上と外装カバーの高剛性との両立を、低コストで可能とする電子機器を提供すること。【解決手段】樹脂から成る外装カバー（２）と、ループ状に形成されたアンテナ部（３ａ）を有する電気回路基板（３）と、前記外装カバー（２）を固定する本体（６）を備えた電子機器（１）で、前記外装カバー（２）は、本体（６）側への突出形状（２ｂ）を有し、前記電気回路基板（３）は、前記突出形状（２ｂ）よりも大きい開口（３ｄ）をループ状に形成されたアンテナ部（３ａ）の内部に有し、前記開口（３ｄ）は、前記外装カバー（２）の突出形状（２ｂ）を挿通し、前記外装カバー（２）の内側に保持され、前記外装カバー（２）の突出形状（２ｂ）は、前記本体（６）まで近接させた。【選択図】  図３
2015186054.tif 000002
【特許請求の範囲】
【請求項１】
樹脂から成る外装カバー（２）と、
ループ状に形成されたアンテナ部（３ａ）を有する電気回路基板（３）と、
前記外装カバー（２）を固定する本体（６）を備えた電子機器（１）であって、
前記外装カバー（２）は、本体（６）側への突出形状（２ｂ）を有し、
前記電気回路基板（３）は、前記突出形状（２ｂ）よりも大きい開口（３ｄ）をループ状に形成されたアンテナ部（３ａ）の内部に有し、
前記開口（３ｄ）は、前記外装カバー（２）の突出形状（２ｂ）を挿通し、前記外装カバー（２）の内側に保持され、
前記外装カバー（２）の突出形状（２ｂ）は、前記本体（６）まで近接させたことを特徴とする電子機器（１）。
【請求項２】
前記外装カバー（２）の前記突出形状（２ｂ）と、前記電気回路基板（３）の開口（２ａ）を同一形状としたことを特徴とする請求項１に記載の電子機器（１）。
【請求項３】
前記外装カバー（２）の突出形状（２ｂ）の先端に、テーパー形状（２ｃ）を形成したことを特徴とする請求項１又は請求項２に記載の電子機器（１）。
【請求項４】
前記電気回路基板（３）のアンテナ部（３ａ）の電子機器本体（６）側に、磁性シート（１１）を具備し、前記磁性シート（１１）に前記外装カバー（２）の前記突出形状（２ｂ）と同一形状の開口（１１ａ）を有することを特徴とする請求項２に記載の電子機器（１）。
【発明の詳細な説明】
【技術分野】
【０００１】
本発明は、電子機器に関し、特にアンテナ装置を搭載する撮像装置等の電子機器に関するものである。
【背景技術】
【０００２】
近年では、複雑な無線接続作業を必要とせず、簡単な作業で電子機器同士での通信が可能となる近距離無線通信の利用が広まっている。これは、各電子機器に近距離無線通信用のアンテナ装置を配置し、それらをお互いに近づけるだけで機器間での通信を可能とするものである。
【０００３】
このような近距離無線通信のアンテナ装置において多く使われているものとして、ループアンテナがある。このアンテナは、帯状のアンテナ導体をループ状にし、そのループ状の開口を樹脂性の外装カバー側に向けて配置し、その多くは外装カバーの内側に固定されている。
【０００４】
このアンテナは、外装カバーの外観に近い位置に配置すれば、アンテナ性能は向上し、更にアンテナのループ形状をより拡大することができれば、より一層アンテナ性能は向上する。これにより、お互いの電子機器の近距離無線通信の開始距離を広げることが可能となり、ユーザーの利便性は向上する。
【０００５】
しかし、このようなループアンテナの配置やサイズを、電子機器に内蔵した場合、樹脂から成る外装カバーの薄肉化や薄肉範囲の拡大を招くことになる。その結果、アンテナ部となる外装カバーの剛性が低下し、ユーザーの把持等の静圧で外装カバーの撓みが容易に発生し、品位が低下してしまう。
【０００６】
これを回避すべく、樹脂の外装カバーの成形時にアンテナ部も同時にインサート成形をすることで封入し、アンテナの性能の向上と外装カバーの高剛性を両立させた電子機器が開示されている（特許文献１参照）。
【先行技術文献】
【特許文献】
【０００７】
【特許文献１】特開２００６―９４５２１号公報
【発明の概要】
【発明が解決しようとする課題】
【０００８】
しかしながら、上述の特許文献１に示すような従来技術では、インサート成形を用いていることで、金型が複雑となり、成形時間も要するため、金型代や成形代が高価となり、電子機器のコストアップを招く。
【０００９】
そこで、本発明の目的は、アンテナの性能の向上と外装カバーの高剛性との両立を、低コストで可能とする電子機器を提供することである。
【課題を解決するための手段】
【００１０】
上記目標を達成するために、本発明の構成は、樹脂から成る外装カバーと、ループ状に形成されたアンテナ部を有する電気回路基板と、前記外装カバーを固定する本体を備えた電子機器で、前記外装カバーは、本体側への突出形状を有し、前記電気回路基板は、前記突出形状よりも大きい開口をループ状に形成されたアンテナ部の内部に有し、前記開口は、前記外装カバーの突出形状を挿通し、前記外装カバーの内側に保持され、前記外装カバーの突出形状は、前記本体まで近接させたことを特徴とする。
【発明の効果】
【００１１】
本発明によれば、アンテナの性能の向上と外装カバーの高剛性との両立を、低コストで可能とする電子機器を提供することができる。
【図面の簡単な説明】
【００１２】
【図１】本発明の第１の実施例に係る電子機器の一例であるデジタルカメラの外観を示す斜視図である。
【図２】デジタルカメラの外装カバーを分解した分解斜視図である。
【図３】アンテナ部の固定に係る分解斜視図である。
【図４】デジタルカメラのアンテナ部の部分断面図である。
【発明を実施するための形態】
【００１３】
以下、本発明を実施するための形態を図面に基づいて詳細に説明する。
【実施例１】
【００１４】
以下、図１から図４を参照して、本発明の実施例について説明する。図１は、本発明の実施形態に係るデジタルカメラ１の外観を示す斜視図である。サイドカバー２の内部に後述するアンテナ基板３（不図示）は固定されている。サイドカバー２には、ストロボ発光部４をポップアップさせるためのスライドレバー４ａ用の開口２ａや、デジタルカメラ１のその他の機能の操作ボタン５が具備されている。
【００１５】
図２は、デジタルカメラ１の外装カバーを分解した分解斜視図である。本発明に直接関連の無い部品は、省略してある。サイドカバー２は、デジタルカメラ本体部６に仮保持されたあと、リアカバー７、フロントカバー８をデジタルカメラ本体部６に組付け、４本の固定ネジ９により、本体部６に締結固定される。
【００１６】
図３は、アンテナ部の固定に係る分解斜視図である。アンテナ基板３はフレキシブルプリント配線基板であり、ループアンテナ部３ａと部品実装部３ｂが２箇所の接続部３ｃにより、配線が接続されている。ループアンテナ部３ａは、サイドカバー２の開口２ａや操作ボタン５に対し可能な限り投影面積を広げ、アンテナ性能を向上させている。部品実装部３ｂには、アンテナ性能に関わるコンデンサやＩＣなどの電子部品が複数実装されている。サイドカバー２へのアンテナ固定は、両面テープ１０により接着固定される。
【００１７】
この組付け時の位置決めは、ループアンテナ部３ａの内部の開口３ｄと、サイドカバー２に形成したリブ形状２ｂを略同一形状とし、開口３ｄとリブ形状２ｂで位置決めを行う。
【００１８】
磁性シート１１は、焼結体フェライトなどで構成される。磁性シート１１は透磁率の実部が高いため磁束をシートに集中させ、且つ透磁力率の虚部が低いため、磁束が磁性シート１１内で磁気損失することなく流れていき、近距離無線通信時における通信距離が増加し、通信を良好にさせる効果がある。この磁性シート１１にも開口１１ａを形成し、リブ形状２ｂと開口１１ａを略同一形状にすることで位置決めを行い、不図示の両面テープにてループアンテナ部３ａに接着固定される。このサイドカバー２のリブ形状２ｂと、ループアンテナ部３ａの開口３ｄ、磁性シート１１の開口１１ａの位置決め構造により、新たな位置出し冶工具の設定が不要となる。
【００１９】
図４は、デジタルカメラ１のアンテナ部の部分断面図である。サイドカバー２のリブ形状２ｂ先端部には、テーパー形状２ｃが形成されている。これにより、リブ形状２ｂにループアンテナ部３ａの開口３ｄ（不図示）や磁性シート１１の開口１１ａ（不図示）が挿通し易くなり、組立作業性は向上する。
【００２０】
ループアンテナ部３ａは、近距離無線通信を行う際に、相手側である携帯電話やタブレット端末と接近させる必要があるため、良好な通信を確保するためには、デジタルカメラ１の内部においてサイドカバー２の外観側に近づける必要がある。しかし、磁界型のアンテナのためサイドカバー２は樹脂で形成する必要があり、薄肉化は剛性の低下を招き、ユーザーの把持等でサイドカバー２の外観部に加わる静圧でのサイドカバー２の撓みが発生し、品位が低下してしまう。この撓みを抑えるために、サイドカバー２のリブ形状２ｂは、デジタルカメラ本体部６に当接する位置まで突出させている。これにより、リブ形状２ｂとデジタルカメラ本体部６が支持することでサイドカバー２の撓みを抑える構造となり、品位の低下を防ぐことが可能となる。
【００２１】
以上、本発明の好ましい実施形態について説明したが、本発明はこれらの実施形態に限定されず、その要旨の範囲内で種々の変形及び変更が可能である。
【符号の説明】
【００２２】
１    ：デジタルカメラ
２    ：サイドカバー
２ａ  ：開口
２ｂ  ：リブ形状
２ｃ  ：テーパー形状
３    ：アンテナ基板
３ａ  ：ループアンテナ部
３ｂ  ：部品実装部
３ｃ  ：接続部
３ｄ  ：開口
４    ：ストロボ発光部
４ａ  ：スライドレバー
５    ：操作ボタン
６    ：デジタルカメラ本体部
７    ：リアカバー
８    ：フロントカバー
９    ：固定ネジ
１０  ：両面テープ
１１  ：磁性シート
１１ａ：開口
【図１】
2015186054.tif 000003
【図２】
2015186054.tif 000004
【図３】
2015186054.tif 000005
【図４】
2015186054.tif 000006